(57)【要約】【課題】  底板変形防止用と転倒防止用の両部材に関してコストダウンを果たした保管庫の箱体構造を提供すること。【解決手段】  底板部材１１のほぼ全面に兼用部材１２が一対のリベット１３で固定された構造をしている。また、兼用部材１２は、底板変形防止用の補強部材と転倒防止用の重り部材を兼ねた部材であるが、その形状は平板（プレート状）である。そして、庫外底板３は、その周囲に貫設されたねじ穴を介し、兼用部材１２が固定された面を庫体２の底面側に向けて、庫体２の底面側にねじで固定される。従って、庫外底板３に固定されている兼用部材１２は、庫体２の底面側で内在するとともに、庫体２の枠組を形成する四隅のフレーム４（図１では二隅のフレーム４のみが記載されている）の下端に当接する状態となって、上下方向の位置決めがなされる。【選択図】  図１
2006132801.tif 000002
【特許請求の範囲】
【請求項１】
庫体フレームと、底板変形防止用の補強部材と、転倒防止用の重り部材と、を有する保管庫の箱体構造において、
前記補強部材と前記重り部材とを兼用した兼用部材を備え、
前記兼用部材を前記庫体フレームに当接させたこと、を特徴とする保管庫の箱体構造。
【発明の詳細な説明】
【技術分野】
【０００１】
本発明は、食器消毒などに用いられる保管庫の箱体構造に関するものである。
【背景技術】
【０００２】
従来より、食器消毒などに用いられる保管庫の箱体構造については、種々のものが提案されている（例えば、特許文献１参照）。
【特許文献１】特開２００１−２２７８５８号公報
【０００３】
その構造の一例を挙げると、図５２に示すように、保管庫の底面には底板変形防止用の補強部材１０１を設けていた。この点、図５３は補強部材１０１の平面図であり、図５４は補強部材１０１の側面図である。また、図５５に示すように、保管庫の背面には転倒防止用の重り部材１０２をリベットで取り付けていた。この点、図５６は重り部材１０２の平面図である。
【発明の開示】
【発明が解決しようとする課題】
【０００４】
従って、底板変形防止用の補強部材１０１と転倒防止用の重り部材１０２は別部品となっており、さらに、底板変形防止用の補強部材１０１は、図５３や図５４に示すように、曲げ加工を必要としていることから、コスト高を招いていた。また、底板変形防止用の補強部材１０１は、保管庫の底面の全体に配置されないため、補強部材１０１が存在しない部分に力が作用した場合、補強部材１０１の目的である変形防止を達成することができなかった。
【０００５】
そこで、本発明は、上述した点を鑑みてなされたものであり、底板変形防止用と転倒防止用の両部材に関してコストダウンを果たした保管庫の箱体構造を提供することを課題とする。
【課題を解決するための手段】
【０００６】
この課題を解決するために成された請求項１に係る発明は、庫体フレームと、底板変形防止用の補強部材と、転倒防止用の重り部材と、を有する保管庫の箱体構造において、前記補強部材と前記重り部材とを兼用した兼用部材を備え、前記兼用部材を前記庫体フレームに当接させたこと、を特徴としている。
【発明の効果】
【０００７】
すなわち、本発明の保管庫の箱体構造では、庫体フレームに当接させている兼用部材を底板変形防止用の補強部材と転倒防止用の重り部材として兼用しているので、底板変形防止用と転倒防止用の両部材に関してコストダウンを果たすことができる。
【発明を実施するための最良の形態】
【０００８】
以下、本発明の実施の形態を図面を参照にして説明する。図１は保管庫の分解斜視図である。図２は庫外底板の平面図である。図３は庫外底板の側面図である。図３は庫外底板の側面図である。図４は、底板変形防止用の補強部材と転倒防止用の重り部材を兼ねた兼用部材の平面図である。
【０００９】
本実施の形態では、図１に示すように、保管庫１は、庫体２と庫外底板３から構成されている。尚、図１では、庫体２の上部を省略している。また、庫外底板３は、図２や図３に示すように、底板部材１１のほぼ全面に兼用部材１２が一対のリベット１３で固定された構造をしている。また、兼用部材１２は、上述したように、底板変形防止用の補強部材と転倒防止用の重り部材を兼ねた部材であるが、図４に示すように、その形状は平板（プレート状）である。
【００１０】
そして、庫外底板３は、その周囲に貫設されたねじ穴１４を介し、兼用部材１２が固定された面を庫体２の底面側に向けて、庫体２の底面側にねじで固定される。従って、庫外底板３に固定されている兼用部材１２は、庫体２の底面側で内在するとともに、庫体２の枠組を形成する四隅のフレーム４（図１では二隅のフレーム４のみが記載されている）の下端に当接する状態となって、上下方向の位置決めがなされる。
【００１１】
これにより、保管庫１の搬送時などにおいて、庫外底板３に外力が作用しても、庫外底板３に固定されているプレート状の兼用部材１２が庫体２内のフレーム４に支えられるので、庫外底板３が変形することがない。
【００１２】
以上より、本実施の形態では、底板変形防止用の補強部材と転倒防止用の重り部材とを１箇所に集約し一体化した兼用部材１２が使用され、また、その兼用部材１２はプレート状で曲げ加工部分が存在しないので、工数の低減と取付の簡素化が図られ、底板変形防止用と転倒防止用の両部材に関してコストダウンを果たすことができる。
【００１３】
また、底板変形防止用の補強部材と転倒防止用の重り部材とを１箇所に集約し一体化した兼用部材１２が底板部材１１のほぼ全面に固定された構造をしているので、底板部材１１のどの部分に力が作用しても、変形することがない。
【００１４】
次に、上記箱体の構造を有した保管庫について、包丁・マナ板殺菌庫とした使用した例について説明する。図５は包丁・マナ板殺菌庫の外部の斜視図である。図６は包丁・マナ板殺菌庫内の風回り構造を示した図である。図７は包丁・マナ板殺菌庫の内部の斜視図である。図８は包丁・マナ板殺菌庫の内部の斜視図である。図９は第１カバー部材の平面図である。図１０は第１カバー部材の側面図である。図１１は第２カバー部材の平面図である。図１２は第２カバー部材の側面図である。
【００１５】
図５に示すように、包丁・マナ板殺菌庫１０１には、その収納部１１１の側面に複数の包丁を収納することができる包丁用ホルダ１０２が設けられ、その収納部１１１の底面に複数のマナ板を収納することができるマナ板用ホルダ１０３が設けられている。そして、包丁用ホルダ１０２に収納された包丁やマナ板用ホルダ１０３に収納されたマナ板を殺菌するため、図６に示すように、庫内天板１０４のほぼ中央から収納部１１１の空気が吸い込まれ、両側面に向かって吹き出される。さらに、吹き出された風は、庫内ダクト１０５と庫内側面１０７の間を通過して、庫内底面部１０７から収納部１１１に向かって吹き出される。
【００１６】
この点、庫内ダクト１０５には複数の長穴１０５Ａが開いており、これらの長穴１０５Ａからも収納部１１１に向かって風が吹き出される。尚、庫内天板１０４にも、吹出用の長穴１０４Ａが開いているが、庫内ダクト１０５の長穴１０５Ａと比べて数が少ないため、このままだと、吹出量を多くすることができない。
【００１７】
さらに、包丁が包丁用ホルダ１０２に収納されたり、マナ板がマナ板用ホルダ１０３に収納された状態になると、包丁やマナ板が、庫内ダクト１０５の長穴１０５Ａから吹き出す風の抵抗となるので、機械室１０８で温められた熱風の庫内循環が悪くなり、昇温能力の低下につながる。また、マナ板用ホルダ１０３のマナ板は庫内ダクト１０５と平行な状態で収納されるので、庫内ダクト１０５の長穴１０５Ａから吹き出す風は、マナ板用ホルダ１０３の最も外側に収納されたマナ板しか当たらず、マナ板用ホルダ１０３の内側に収納されたマナ板の温度上昇の鈍化につながる。
【００１８】
そこで、図７に示すように、ファン１０９及びヒータ１１０が配置された機械室１０８と包丁用ホルダ１０２及びマナ板用ホルダ１０３が設けられた収納部１１１とを区切る庫内天板１０４について、図８に示すように、第１カバー部材１１２と第２カバー部材１１３を使用する。この点、第１カバー部材１１２には、図９の平面図に示すように、複数の長穴１１２Ａが設けられており、これらの長穴１１２Ａは、風のショートサーキットを避けるため、ファン１０９の吸込口１１２Ｂから離れた位置に配置されている。また、第２カバー部材１１３にも、図１１の平面図に示すように、複数の長穴１１ＢＡが設けられている。
【００１９】
以上、庫内天板１０４として使用される第１カバー部材１１２と第２カバー部材１１３において、吹出用の長穴１１２Ａ，１１２Ｂを複数設けているので、包丁用ホルダ１０２に収納された包丁が、収納部１１１における風の流れに対して悪影響を及ぼすことがなくなり、さらに、収納部１１１における風の流れが上下方向に強くなるので、マナ板用ホルダ１０３に上下方向に収納されたマナ板間にも風が吹き込むことになる。
【００２０】
（０４ＨＰ００３の公知化技術）
次に、上記箱体の構造を有した保管庫について、食器等の殺菌庫とした使用した例について説明する。図１３は食器等の殺菌庫内の風回り構造を示した図である。図１４は庫内ダクトの斜視図である。図１５はサポートの平面図である。図１６はサポートの側面図である。図１７はカバーの平面図である。図１８はカバーの側面図である。
【００２１】
図１３に示すように、食器等の殺菌庫２０１では、収納部２１１に収納された食器等を殺菌するため、庫内天板２０４のほぼ中央から収納部２１１の空気が吸い込まれ、両側面に向かって吹き出される。さらに、吹き出された風は、庫内ダクト２０５と庫内側面２０７の間を通過して、庫内底面部２０７から収納部２１１に向かって吹き出される。
【００２２】
この点、庫内ダクト２０５には複数の長穴２０５Ａが開いており、これらの長穴２０５Ａからも収納部２１１に向かって風が吹き出される。
【００２３】
もっとも、ユーザーによってなされる食器等の収納状態は千差万別であり、全てのユーザーを満足させることは不可能であることから、想定された標準的な収納状態について風の流れが最適になるように、庫内ダクト２０５における複数の長穴２０５Ａが配置されている。そのため、想定された標準的な収納状態に対し現実の食器等の収納状態が大きくかけ離れていると、風の流れが不適になって、昇温能力の低下につながり、最悪の場合には、顧客のクレームとなる。
【００２４】
そこで、庫内ダクト２０５に列設された全ての長穴２０５Ａに対し、図１４に示すように、一対のサポート２５１をねじ固定する。尚、図１４においては、長穴２０５Ａの一列についてのみ一対のサポート２５１がねじ固定されている。そして、一対のサポート２５１の間において、カバー２５２をスライド保持する。
【００２５】
この点、カバー２５２の片側先端には曲げ部２５３が形成されており、この曲げ部２５３によって、カバー２５２を所持し、スライド移動させ、固定させることができる。そして、カバー２５２の曲げ部２５３は、サポート２５１より低く、且つ、ストッパになる高さになっている。さらに、一対のサポート２５１については、庫内容積に極力影響を与えないような厚みになっている。
【００２６】
これにより、一対のサポート２５１間でスライド保持されたカバー２５２により、庫内ダクト２０５の長穴２０５Ａを簡単に塞ぐことができる。このとき、一対のサポート２５１間におけるカバー２５２の位置によって、カバー２５２で塞がれる庫内ダクト２０５の長穴２０５Ａの数を調節することができる。従って、ユーザーの要望に対して、庫内ダクト２０５の長穴２０５Ａの吹き出しを制御した効果、すなわち、風の流れを制御した効果を、ユーザー自身が確認することができる。そのため、ユーザーからの情報（食器等の収納状態等）収集・メーカーの試作・ユーザーの確認といった一連の手間が省け、スピーディに対応することができる。
【００２７】
次に、上記箱体の構造を有した保管庫について、包丁・マナ板殺菌庫として使用した場合のコントロールボックスの形状について説明する。図１９は、コントロールボックスの筐体の上面図である。図２０は、コントロールボックスの筐体の正面図である。図２１は、コントロールボックスの筐体の底面図である。図２２は、コントロールボックスのカバーの正面図である。図２３は、コントロールボックスのカバーの側面図である。図２４は、コントロールボックスのカバーの底面図である。図２５は、コントロールボックスの正面図である。図２６は、コントロールボックスの上面図である。図２７は、コントロールボックスの側面図である。図２８は、コントロールボックスのカバーの斜視図である。図２９は、コントロールボックスのカバーの正面図である。図３０は、コントロールボックスのカバーの側面図である。
【００２８】
図１９乃至図３０に示すように、このコントロールボックス３０１では、ＥＬＢ部分のカバー３１３と本体部分のカバー３１２が筐体３１１に取り付けられている。また、この状態では、本体部分のカバー３１２がＥＬＢ部分のカバー３１３よりも引っ込んでいる。そしてて、筐体３１１に取り付けられるカバー３１２，３１３が２つあるので、部品費が高く、取付工数も多い。
【００２９】
また、図３１は、コントロールボックスの筐体の上面図である。図３２は、コントロールボックスの筐体の正面図である。図３３は、コントロールボックスの筐体の底面図である。図３４は、コントロールボックスの筐体の側面図である。図３５は、コントロールボックスのカバーの上面図である。図３６は、コントロールボックスのカバーの正面図である。図３７は、コントロールボックスのカバーの底面図である。図３８は、コントロールボックスのカバーの側面図である。図３９は、コントロールボックスの背面図である。図４０は、コントロールボックスの上面図である。図４１は、コントロールボックスの正面図である。図４２は、コントロールボックスの側面図である。
【００３０】
図３１乃至図４２に示すように、このコントロールボックス４０１は、ＥＬＢ・ＭＳ等の電装品が実装される筐体４１１とカバー４１２の２部品から構成されている。この点、カバー４１２は、その表面に、ＥＬＢレバーを逃がすための開口部４１２Ａと、放熱用のメッシュ４１２Ｂとが設けられており、１枚で筐体４１１の全面を覆うことができる。そして、筐体４１１に対するカバー４１２の取付位置は、ＥＬＢの位置に合わせており、筐体４１１より出っ張った位置になっている。そのため、このコントロールボックス４０１の側面には、放熱用のメッシュ４１２Ｂが存在することになり、ＥＬＢは、取り付けると、はみ出す位置関係にある。
【００３１】
従って、このコントロールボックス４０１では、ＥＬＢ部分のカバーと本体部分のカバーが一体化されたカバー４１２を使用しているので、部品点数の削減となり、コストダウンを行うことができる。さらに、このカバー４１２では、ＥＬＢ部分と本体部分に段差がないので、形状が簡単となり、さらなるコストダウンとなる。また、コントロールボックス４０１内の容積が大きくなることから、内部の温度上昇を抑制することができる。
【００３２】
（０４ＨＰ００４の公知化技術その２）
次に、上記箱体の構造を有した保管庫について、恒温高湿庫として使用した例について説明する。図４３は恒温高湿庫の正面図である。図４４は恒温高湿庫の側面図である。図４５はフロントパネルの正面図である。図４６はフロントパネルの側面図である。
【００３３】
図４３と図４４に示す恒温高湿庫５０１は、ガラス扉５１３に排気を向けることで、排気の熱と風を利用し、ガラス扉５０３の結露を防止する構造になっている。すなわち、図４３と図４５に示すように、排気５０５をフロントパネル５１１からガラス扉５１３に向けて出す。特に、機械室５１７が収納室５１８の下に置かれるショーケース５１６においては、機械室５１７への吸気を正面から行う場合が多いので、機械室１０７内及びフロンパネル５１１内で、吸気経路５１４と排気経路５１５とが仕切られた構造にする必要がある。そこで、ここでは、フロンパネル５１１内の仕切５１２と機械室５１７内の仕切５１９を用いて、吸気経路５１４と排気経路５１５を仕切っている。
【００３４】
また、フロンパネル５１１内の仕切５１２は、「コ」の字状にすることで、フィルター５２１への吸気経路のガイドの役割も併せ持つ。つまり、フィルター５２１を通らずに機械室５１７内に入る空気を抑えることができ、よって、凝縮器５２２の目詰まりを抑えることがえきる。
【００３５】
尚、機械室５１７が収納室５１８の上に置かれるショーケース５１６においても、同様の構造でガラス扉５１３に排気を行うことによって、ガラス扉５１３の結露を防止することができる。
【００３６】
次に、上記箱体の構造を有した保管庫について、恒温高湿庫として使用した例について説明する。図４７は恒温高湿庫の正面図である。図４８は恒温高湿庫の側面図である。図４９はフロントパネルの正面図である。図５０はフロントパネルの側面図である。図５１機械室の断面図である。
【００３７】
図４７と図４８に示す恒温高湿庫６０１では、排気を正面から行うことで、側面や背面からの排気を無くした。そのために、フロントパネル６１１内の仕切６１２と機械室６１７内の仕切６１９を用いることによって、吸気経路６１４と排気経路６１５を仕切っている。これにより、フロントパネル６１１から入る吸気は、吸気経路６１４に従って、機械室６１７内の仕切６１９と凝縮器６２２を通って、機械室６１７内に入る。そして、機械室６１７内からの排気は、排気経路６１５に従って、凝縮器６２２と機械室６１７内の仕切６１９ の手前側を通って、フロントパネル６１１の上部から排出される。このとき、フロントパネル６１１内には仕切６１２があるため、機械室６１７内からの排気が吸気経路６１４に入ることはない。
【００３８】
さらに、フロントパネル６１１内の仕切６１２は、「コ」の字形状になっているので、フィルター６２１への吸気経路のガイドの役割も併せ持つ。つまり、フィルター６２１を通らずに機械室６１７に入る空気を抑えることができ、よって、凝縮器６２２の目詰まりを抑えられる。
【産業上の利用可能性】
【００３９】
本発明は、保管庫の箱体構造における部品数削減に適用し得る。
【図面の簡単な説明】
【００４０】
【図１】保管庫の分解斜視図である。
【図２】庫外底板の平面図である。
【図３】庫外底板の側面図である。
【図４】兼用部材の平面図である。
【図５】包丁・マナ板殺菌庫の外部の斜視図である。
【図６】包丁・マナ板殺菌庫内の風回り構造を示した図である。
【図７】包丁・マナ板殺菌庫の内部の斜視図である。
【図８】包丁・マナ板殺菌庫の内部の斜視図である。
【図９】第１カバー部材の平面図である。
【図１０】第１カバー部材の側面図である。
【図１１】第２カバー部材の平面図である。
【図１２】第２カバー部材の側面図である。
【図１３】食器等の殺菌庫内の風回り構造を示した図である。
【図１４】庫内ダクトの斜視図である。
【図１５】サポートの平面図である。
【図１６】サポートの側面図である。
【図１７】カバーの平面図である。
【図１８】カバーの側面図である。
【図１９】コントロールボックスの筐体の上面図である。
【図２０】コントロールボックスの筐体の正面図である。
【図２１】コントロールボックスの筐体の底面図である。
【図２２】コントロールボックスのカバーの正面図である。
【図２３】コントロールボックスのカバーの側面図である。
【図２４】コントロールボックスのカバーの底面図である。
【図２５】コントロールボックスの正面図である。
【図２６】コントロールボックスの上面図である。
【図２７】コントロールボックスの側面図である。
【図２８】コントロールボックスのカバーの斜視図である。
【図２９】コントロールボックスのカバーの正面図である。
【図３０】コントロールボックスのカバーの側面図である。
【図３１】コントロールボックスの筐体の上面図である。
【図３２】コントロールボックスの筐体の正面図である。
【図３３】コントロールボックスの筐体の底面図である。
【図３４】コントロールボックスの筐体の側面図である。
【図３５】コントロールボックスのカバーの上面図である。
【図３６】コントロールボックスのカバーの正面図である。
【図３７】コントロールボックスのカバーの底面図である。
【図３８】コントロールボックスのカバーの側面図である。
【図３９】コントロールボックスの背面図である。
【図４０】コントロールボックスの上面図である。
【図４１】コントロールボックスの正面図である。
【図４２】コントロールボックスの側面図である。
【図４３】恒温高湿庫の正面図である。
【図４４】恒温高湿庫の側面図である。
【図４５】フロントパネルの正面図である。
【図４６】フロントパネルの側面図である。
【図４７】恒温高湿庫の正面図である。
【図４８】恒温高湿庫の側面図である。
【図４９】フロントパネルの正面図である。
【図５０】フロントパネルの側面図である。
【図５１】機械室の断面図である。
【図５２】保管庫の底面を示した図である。
【図５３】補強部材の平面図である。
【図５４】補強部材の側面図である。
【図５５】保管庫の側面を示した図である。
【図５６】重り部材の平面図である。
【符号の説明】
【００４１】
１…保管庫、      ２…庫体、      ３…庫外底板、  ４…フレーム、
１１…底板部材、  １２…兼用部材、１３…リベット、１４…ねじ穴
【図１】
2006132801.tif 000003
【図２】
2006132801.tif 000004
【図３】
2006132801.tif 000005
【図４】
2006132801.tif 000006
【図５】
2006132801.tif 000007
【図６】
2006132801.tif 000008
【図７】
2006132801.tif 000009
【図８】
2006132801.tif 000010
【図９】
2006132801.tif 000011
【図１０】
2006132801.tif 000012
【図１１】
2006132801.tif 000013
【図１２】
2006132801.tif 000014
【図１３】
2006132801.tif 000015
【図１４】
2006132801.tif 000016
【図１５】
2006132801.tif 000017
【図１６】
2006132801.tif 000018
【図１７】
2006132801.tif 000019
【図１８】
2006132801.tif 000020
【図１９】
2006132801.tif 000021
【図２０】
2006132801.tif 000022
【図２１】
2006132801.tif 000023
【図２２】
2006132801.tif 000024
【図２３】
2006132801.tif 000025
【図２４】
2006132801.tif 000026
【図２５】
2006132801.tif 000027
【図２６】
2006132801.tif 000028
【図２７】
2006132801.tif 000029
【図２８】
2006132801.tif 000030
【図２９】
2006132801.tif 000031
【図３０】
2006132801.tif 000032
【図３１】
2006132801.tif 000033
【図３２】
2006132801.tif 000034
【図３３】
2006132801.tif 000035
【図３４】
2006132801.tif 000036
【図３５】
2006132801.tif 000037
【図３６】
2006132801.tif 000038
【図３７】
2006132801.tif 000039
【図３８】
2006132801.tif 000040
【図３９】
2006132801.tif 000041
【図４０】
2006132801.tif 000042
【図４１】
2006132801.tif 000043
【図４２】
2006132801.tif 000044
【図４３】
2006132801.tif 000045
【図４４】
2006132801.tif 000046
【図４５】
2006132801.tif 000047
【図４６】
2006132801.tif 000048
【図４７】
2006132801.tif 000049
【図４８】
2006132801.tif 000050
【図４９】
2006132801.tif 000051
【図５０】
2006132801.tif 000052
【図５１】
2006132801.tif 000053
【図５２】
2006132801.tif 000054
【図５３】
2006132801.tif 000055
【図５４】
2006132801.tif 000056
【図５５】
2006132801.tif 000057
【図５６】
2006132801.tif 000058